【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
安全施錠システムであって、
低レベル信号、高レベル信号、または前記低レベル信号と前記高レベル信号とが交替するパルス信号を受信する入力部、および出力部を備える中央処理ユニットと、
前記中央処理ユニットの前記入力部に電気的に接続しており、動作状態および非動作状態をとる安全スイッチと、を備え、
前記安全スイッチが動作状態にある場合には、前記入力部は、前記低レベル信号を受信し、
前記安全スイッチが非動作状態にある場合には、前記入力部は、前記パルス信号を受信し、
所定の閾値期間よりも長い期間の間、前記入力部が前記高レベル信号を受信する場合には、前記中央処理ユニットは、開回路故障状態を検出し、
前記入力部が前記低レベル信号を受信し、前記安全スイッチが非動作状態であるかのように動作する場合には、前記中央処理ユニットは、接地故障状態を検出する
ことを特徴とする安全施錠システム。
【請求項２】
前記中央処理ユニットの前記出力部に、および前記安全スイッチに電気的に接続しているスイッチング素子、をさらに備え、
前記中央処理ユニットの前記出力部は、前記スイッチング素子を「オン」状態と「オフ」状態とが交替する出力パルス信号を生成する
ことを特徴とする請求項１に記載の安全施錠システム。
【請求項３】
前記中央処理ユニットの前記入力部に、および前記安全スイッチに電気的に接続している電源、をさらに備え、
前記安全スイッチが前記動作状態にある場合には、前記安全スイッチおよび前記電源は電気的に接地されており、前記安全スイッチが前記非動作状態にある場合には、前記安全スイッチおよび前記電源は前記スイッチング素子に電気的に接続されている
ことを特徴とする請求項２に記載の安全施錠システム。
【請求項４】
施錠状態および解錠状態をとる機械式安全錠、をさらに備え、
前記機械式安全錠が掛かっている場合には、前記機械式安全錠は、前記安全スイッチが非動作状態にあるときでも前記安全スイッチが作動できないようにする
ことを特徴とする請求項３に記載の安全施錠システム。
【請求項５】
車両用の電動ドア組立装置であって、
電動ドアと、
前記電動ドアを閉鎖位置に係止する第１のラッチと、
前記第１のラッチを手動で外す室内側ハンドルと、
前記室内側ハンドルによって通電し、前記電動ドアから前記第１のラッチを電気的に外す室内側ハンドルスイッチと、
通電すると、前記電動ドアから前記第１のラッチを電気的に外す後部スイッチと、
安全施錠システムと、を備え、
前記安全施錠システムは、
低レベル信号、高レベル信号、または前記低レベル信号と前記高レベル信号とが交替するパルス信号を受信する入力部、および出力部を備える中央処理ユニットと、
前記中央処理ユニットの前記入力部に電気的に接続しており、動作状態および非動作状態をとる安全スイッチと、を備え、
前記安全スイッチが動作状態である場合には、前記入力部は、前記低レベル信号を受信し、
前記安全スイッチが非動作状態である場合には、前記入力部は、前記パルス信号を受信し、
所定の閾値期間よりも長い期間の間、前記入力部が前記高レベル信号を受信する場合には、前記中央処理ユニットは、開回路故障状態を検出し、
前記入力部が前記低レベル信号を受信し、前記室内側ハンドルスイッチが通電されたときに前記電動ドアが前記閉鎖位置から開放位置へ動く場合には、前記中央処理ユニットは、接地故障状態を検出する
ことを特徴とする電動ドア組立装置。
【請求項６】
前記安全スイッチが動作状態である場合には、前記室内側ハンドルスイッチまたは前記後部スイッチが通電されても、前記電動ドアが前記閉鎖位置から前記開放位置へと動くことができず、前記安全スイッチが非動作状態である場合には、前記室内側ハンドルスイッチまたは前記後部スイッチが通電されると、前記電動ドアが前記閉鎖位置から前記開放位置へと動くことができる
ことを特徴とする請求項５に記載の電動ドア組立装置。
【請求項７】
前記室内側ハンドルスイッチまたは前記後部スイッチが通電されると、前記第１のラッチを外す解錠アクチュエータ、をさらに備える
ことを特徴とする請求項６に記載の電動ドア組立装置。
【請求項８】
前記室内側ハンドルスイッチまたは前記後部スイッチによって駆動すると、前記電動ドアを電気的に開くまたは閉じる駆動ユニット、をさらに備える
ことを特徴とする請求項７に記載の電動ドア組立装置。
【請求項９】
前記安全施錠システムは、前記中央処理ユニットの前記出力部に、および前記安全スイッチに電気的に接続しているスイッチング素子、をさらに備え、
前記中央処理ユニットの前記出力部は、前記スイッチング素子を「オン」状態と「オフ」状態とが交替する出力パルス信号を生成する
ことを特徴とする請求項５に記載の電動ドア組立装置。
【請求項１０】
前記安全施錠システムは、前記中央処理ユニットの前記入力部に、および前記安全スイッチに電気的に接続している電源、をさらに備え、
前記安全スイッチが前記動作状態にある場合には、前記安全スイッチおよび前記電源は電気的に接地されており、前記安全スイッチが前記非動作状態にある場合には、前記安全スイッチおよび前記電源は前記スイッチング素子に電気的に接続されている
ことを特徴とする請求項９に記載の電動ドア組立装置。
【請求項１１】
前記安全施錠システムは、施錠状態および解錠状態をとる機械式安全錠、をさらに備え、
前記機械式安全錠が掛かっている場合には、前記機械式安全錠は、前記安全スイッチが非動作状態にあるときに前記室内側ハンドルによって前記第１のラッチを外すことができないようにすることで、前記電動ドアが開くことを防ぐ
ことを特徴とする請求項１０に記載の電動ドア組立装置。
【請求項１２】
第２のラッチをさらに備え、
前記電動ドアは、スライドドアであり、前記第１のラッチは、前記スライドドアの前部を係止するフロントラッチであり、前記第２のラッチは、前記スライドドアの後部を係止するリアラッチである
ことを特徴とする請求項１１に記載の電動ドア組立装置。
【請求項１３】
車両の電動ドア組立装置のための安全施錠システムの安全スイッチの故障状態を前記安全施錠システムに接続されている中央処理ユニットを介して検出する方法であって、
前記安全スイッチは、電動ドアが閉鎖位置から開放位置に動くことを防止することが可能な動作状態と、電動ドアが閉鎖位置から開放位置に動くことを防止することができない非動作状態とをとり、
前記方法は、
前記中央処理ユニットの入力部にて、前記安全スイッチが動作状態である場合に、前記中央処理ユニットを介して、低レベル信号を検出するステップ、
前記中央処理ユニットの前記入力部にて、前記安全スイッチが非動作状態である場合に、前記中央処理ユニットを介して、パルス信号を検出するステップ、
前記中央処理ユニットの前記入力部にて、所定の閾値期間よりも長い期間の間、高レベル信号を検出することによって、前記中央処理ユニットを介して、前記安全施錠システムにおける開回路故障状態を検出するステップ、及び
前記電動ドアが閉鎖位置から開放位置に動く場合に、前記中央処理ユニットの前記入力部にて、低レベル信号を検出することによって、前記中央処理ユニットを介して、前記安全施錠システムにおける接地故障状態を検出するステップと、を備える
ことを特徴とする方法。
【請求項１４】
前記安全施錠システムの前記中央処理ユニットの前記入力部にて、前記安全スイッチが非動作状態である場合には前記パルス信号を検出するステップの前段において、前記方法は、
前記中央処理ユニットの出力部にて、前記中央処理ユニットを介してパルス状の出力信号を生成するステップと、
前記安全施錠システムのスイッチング素子を「オン」状態および「オフ」状態の間で切り替えることで、前記中央処理ユニットの前記入力部にて検出される前記パルス信号を生成するステップと、をさらに備え、
前記パルス信号は、前記低レベル信号と前記高レベル信号とが交替する
ことを特徴とする請求項１３に記載の方法。
【請求項１５】
前記電動ドア組立装置の、室内側ハンドルスイッチまたは後部スイッチを通電させるステップをさらに備え、
前記電動ドア組立装置の、前記室内側ハンドルスイッチまたは前記後部スイッチを通電させるステップの後段において、前記方法は、前記安全スイッチが非動作状態である場合には、前記電動ドア組立装置の解錠アクチュエータを駆動して、前記電動ドア組立装置の第１のラッチを外し、前記電動ドアを前記閉鎖位置から前記開放位置へ動かすステップ、をさらに備える
ことを特徴とする請求項１４に記載の方法。  
【請求項１６】
前記安全スイッチが非動作状態である場合には前記電動ドアを前記閉鎖位置から前記開放位置に動かすステップの前段において、前記方法は、前記電動ドア組立装置の駆動ユニットを駆動するステップ、をさらに備える
ことを特徴とする請求項１５に記載の方法。
【請求項１７】
前記電動ドアは、スライドドアであり、
前記安全スイッチが非動作状態である場合には、前記電動ドア組立装置の前記解錠アクチュエータを駆動して、前記電動ドア組立装置の前記第１のラッチを外し、前記電動ドアを前記閉鎖位置から前記開放位置へ動かすステップは、
前記第１のラッチを外すことで前記スライドドアの前部を解錠させ、
前記電動ドア組立装置の第２のラッチを外すことで前記スライドドアの後部を解錠させる
ことを特徴とする請求項１６に記載の方法。
【請求項１８】
室内側ハンドルスイッチを通電させるステップの前段において、前記方法は、前記電動ドア組立装置の室内側ハンドルを後方向に回転するステップ、をさらに備える
ことを特徴とする請求項１７に記載の方法。